(57)【要約】【課題】車両に衝突物が衝突したときに、衝突物の挙動を抑えて、衝突物の傷害を効果的に防ぐことができる衝突物保護装置を提供する。【解決手段】衝突物保護装置１であって、歩行者Ｈの衝突を検知または予知したときに、エアバッグ１０を膨張展開させる。エアバッグ１０は、車両２のフード２ｂの前縁部に沿って車幅方向に膨張展開する第一袋体２０と、フード２ｂの上面に膨張展開する第二袋体３０と、を備えている。第二袋体３０は第一袋体２０の車両後方側に連続し、第一袋体２０の内部空間と第二袋体３０の内部空間とは、第一ベント機構２４を介して連通している。第一袋体２０の内部圧力が所定の圧力に達すると、第一ベント機構２４が開くように構成されている。【選択図】図２
2019209825.tif 000002
【特許請求の範囲】
【請求項１】
衝突物の衝突を検知または予知したときに、エアバッグを膨張展開させる衝突物保護装置であって、
前記エアバッグは、
車両のフードの前縁部に沿って車幅方向に膨張展開する第一袋体と、
前記フードの上面に膨張展開する第二袋体と、を備え、
前記第二袋体は前記第一袋体の車両後方側に連続し、
前記第一袋体の内部空間と前記第二袋体の内部空間とは、ベント機構を介して連通しており、
前記第一袋体の内部圧力が所定の圧力に達すると、前記ベント機構が開くように構成されていることを特徴とする衝突物保護装置。
【請求項２】
請求項１に記載の衝突物保護装置であって、
前記第二袋体の車両後方側に連続し、前記フードの上面に膨張展開する第三袋体を備え、
前記第二袋体の内部空間と前記第三袋体の内部空間とは、他のベント機構を介して連通しており、
前記第二袋体の内部圧力が所定の圧力に達すると、前記他のベント機構が開くように構成されていることを特徴とする衝突物保護装置。
【請求項３】
請求項１または請求項２に記載の衝突物保護装置であって、
前記第一袋体は、
前記フードの前縁部に配置された前端部と、
前記前端部から上方に向けて膨張展開する縦袋部と、
前記前端部から車両後方に向けて膨張展開する横袋部と、を有することを特徴とする衝突物保護装置。
【発明の詳細な説明】
【技術分野】
【０００１】
本発明は、車両が衝突物に衝突したときに、衝突物に加えられる衝撃力を吸収緩和して衝突物を保護する衝突物保護装置に関するものである。
【背景技術】
【０００２】
車両に搭載される衝突物保護装置としては、車両への衝突物の衝突を検知または予知したときに、フロントグリルの上部にエアバッグを膨張展開させるものがある（例えば、特許文献１参照）。
【先行技術文献】
【特許文献】
【０００３】
【特許文献１】特開２０１７−１７８２１１号公報
【発明の概要】
【発明が解決しようとする課題】
【０００４】
車両が歩行者に衝突したときに、歩行者の傷害を効果的に防ぐためには、エアバッグによって歩行者を確実に拘束し、車両と歩行者との速度差を早期になくすことで、歩行者の挙動を抑えることが望ましい。
【０００５】
そこで、本発明は、車両に衝突物が衝突したときに、衝突物の挙動を抑えて、衝突物の傷害を効果的に防ぐことができる衝突物保護装置を提供することを課題とする。
【課題を解決するための手段】
【０００６】
前記課題を解決するため、本発明は、衝突物保護装置であって、衝突物の衝突を検知または予知したときに、エアバッグを膨張展開させる。前記エアバッグは、車両のフードの前縁部に沿って車幅方向に膨張展開する第一袋体と、前記フードの上面に膨張展開する第二袋体と、を備えている。前記第二袋体は前記第一袋体の車両後方側に連続し、前記第一袋体の内部空間と前記第二袋体の内部空間とは、ベント機構を介して連通している。前記第一袋体の内部圧力が所定の圧力に達すると、前記ベント機構が開くように構成されている。
【発明の効果】
【０００７】
本発明の衝突物保護装置では、衝突時に車両と衝突物との速度差を早期になくして、衝突物の挙動を抑えることができるため、衝突物の傷害を効果的に防ぐことができる。また、第一袋体の形状を安定させるとともに、第一袋体の強度を高めることができる。
【図面の簡単な説明】
【０００８】
【図１】本発明の実施形態に係る衝突物保護装置を示した斜視図である。
【図２】本発明の実施形態に係る衝突物保護装置を示した側面図である。
【図３】本発明の実施形態に係る衝突物保護装置において衝突直後の側面図である。
【図４】本発明の実施形態に係る衝突物保護装置において衝突後の側面図である。
【図５】本発明の実施形態に係る衝突物保護装置において衝突後の側面図である。
【発明を実施するための形態】
【０００９】
本発明の実施形態について、適宜図面を参照しながら詳細に説明する。
本実施形態では、自動車である車両が走行中に歩行者に衝突したときに、衝突物である歩行者に加えられる衝撃力を吸収緩和するための衝突物保護装置について説明する。
【００１０】
衝突物保護装置１は、図２に示すように、車両２の前部に膨張展開するエアバッグ１０と、エアバッグ１０にガスを送り込むインフレータ５０と、衝突判定装置（図示せず）と、を備えている。
【００１１】
衝突判定装置は、車両２に搭載されたセンサやレーダからの信号に基づいて、車両２と衝突物との衝突を検知または予知するＥＣＵ（Electronic Control Unit）によって構成されている。
衝突判定装置が車両２への歩行者Ｈの衝突を検知または予知したときには、車両２がフード２ｂを上昇させるとともに、インフレータ５０が作動する。なお、衝突判定装置は、既存の装置を用いて構成されており、その構成は限定されるものではない。
【００１２】
エアバッグ１０は、図１に示すように、フード２ｂの前縁部に展開する第一袋体２０と、フード２ｂの上面に展開する第二袋体３０および第三袋体４０と、を備えている。
【００１３】
本実施形態のエアバッグ１０は、通常時はフード２ｂの下方のエンジンルーム内に収容されている。衝突判定装置が車両２への歩行者Ｈの衝突を検知または予知すると、図２に示すように、フード２ｂが上昇し、フード２ｂとフロントグリル２ａとの隙間からエアバッグ１０が車両２の外部に膨張展開する。
【００１４】
第一袋体２０は、図１に示すように、車幅方向に膨張展開する筒状の袋体であり、フード２ｂの上面の前縁部に沿って膨張展開する。
本実施形態の第一袋体２０は、フード２ｂの前縁部に配置された前端部２１と、前端部２１から上方に向けて膨張展開する縦袋部２２と、前端部２１から車両後方に向けて膨張展開する横袋部２３と、を有している。前端部２１の下部は、車体に固定されている。
第一袋体２０は、縦袋部２２の内部空間と横袋部２３の内部空間とが前端部２１の内部空間を通じて連通している一体の袋体である。
【００１５】
第一袋体２０は、図２に示すように、インフレータ５０からガスが送り込まれることで膨張展開する。そして、膨張展開したときの第一袋体２０は、前端部２１を固定点として上方および車両後方に向けて二方向に膨張展開することで、側面視でＶ形状となっている。このように、第一袋体２０が膨張展開したときには、第一袋体２０の後側上部に窪み部が形成される。
【００１６】
第一袋体２０には、第一ベント機構２４が設けられている。第一ベント機構２４は、第一袋体２０の内部圧力が所定の第一圧力に達すると開いて、第一袋体２０内のガスが排出される。
なお、第一ベント機構２４の構成は限定されるものではない。例えば、第一袋体２０の壁部に開口部を形成し、第一袋体２０の内部圧力が所定の第一圧力に達したときに、その圧力で開口部の蓋が取れて開口するように構成することができる。
【００１７】
第二袋体３０は、図１に示すように、第一袋体２０の後部に連続した袋体であり、フード２ｂの上面に沿って車両後方に向けて膨張展開する。第二袋体３０は、フード２ｂの上面において前後方向の略中間部を覆うように構成されている。
図２に示すように、第一袋体２０の横袋部２３の内部空間と第二袋体３０の内部空間とは、第一ベント機構２４を介して連通している。
【００１８】
また、第二袋体３０には、第二ベント機構３４が設けられている。第二ベント機構３４は、第二袋体３０の内部圧力が所定の第二圧力に達すると開いて、第二袋体３０内のガスが排出される。第二ベント機構３４が開くときの第二圧力は、第一ベント機構２４が開くときの第一圧力よりも小さく設定されている。なお、第二ベント機構３４の構成は、第一ベント機構２４と同様に限定されるものではない。
【００１９】
第三袋体４０は、図１に示すように、第二袋体３０の後部に連続した袋体であり、フード２ｂの上面に沿って車両後方に向けて膨張展開する。第三袋体４０は、フード２ｂの上面において前後方向の後部を覆うように構成されている。
図２に示すように、第二袋体３０の内部空間と第三袋体４０の内部空間とは、第二ベント機構３４を介して連通している。
【００２０】
次に、本実施形態の衝突物保護装置１においてエアバッグ１０が膨張展開する過程を説明する。
図３に示すように、衝突判定装置（図示せず）が車両２への歩行者Ｈの衝突を検知または予知したときには、車両２のフード２ｂが上昇するとともに、インフレータ５０が作動する。
【００２１】
インフレータ５０から第一袋体２０の前端部２１にガスが送り込まれると、前端部２１を固定点として、上方に向けて縦袋部２２が膨張展開するとともに、車両後方に向けて横袋部２３が膨張展開する。
【００２２】
図４に示すように、インフレータ５０から第一袋体２０にガスが送り込まれるとともに、第一袋体２０に歩行者Ｈが衝突して、第一袋体２０が押し込まれると、第一袋体２０の内部圧力が所定の第一圧力に達する。これにより、第一ベント機構２４が開いて、第一袋体２０から第二袋体３０にガスが送り込まれ、第二袋体３０がフード２ｂの上面に膨張展開する。
【００２３】
また、図５に示すように、第一袋体２０から第二袋体３０にガスが送り込まれるとともに、第二袋体３０に歩行者Ｈが衝突して、第二袋体３０が押し込まれると、第二袋体３０の内部圧力が所定の第二圧力に達する。これにより、第二ベント機構３４が開いて、第二袋体３０から第三袋体４０にガスが送り込まれ、第三袋体４０がフード２ｂの上面に膨張展開する。
【００２４】
本実施形態の衝突物保護装置１は、図２に示すように、歩行者Ｈの衝突を検知または予知したときに、エアバッグ１０を膨張展開させるものである。エアバッグ１０は、車両２のフード２ｂの前縁部に沿って車幅方向に膨張展開する第一袋体２０と、車両２のフード２ｂの上面に膨張展開する第二袋体３０と、を備えている。第二袋体３０は第一袋体２０の車両後方側に連続している。第一袋体２０の内部空間と第二袋体３０の内部空間とは、第一ベント機構２４を介して連通している。第一袋体２０の内部圧力が所定の第一圧力に達すると、第一ベント機構２４が開くように構成されている。
【００２５】
本実施形態の衝突物保護装置１は、第一袋体２０が膨張展開したときに、第一袋体２０の内部圧力が所定の第一圧力に達するまで第一ベント機構２４が開かないため、第一袋体２０の内部圧力を早期に高めることができる。そして、図３に示すように、高圧の第一袋体２０によって、歩行者Ｈの腰部を確実に拘束することができる。
このように、衝突物保護装置１は、衝突時に歩行者Ｈの重心位置である腰部を拘束することで、車両２と歩行者Ｈとの速度差を早期になくすことができるため、歩行者Ｈの挙動を抑えることができる。つまり、歩行者Ｈの脚部が大きく跳ね上がらないように、歩行者Ｈの挙動をコントロールすることができる。
また、歩行者Ｈの重心位置である腰部を拘束することで、歩行者Ｈの頭部が車両２のピラーやフロントガラスに衝突するのを防ぐことができる。
したがって、衝突物保護装置１によれば、エアバッグ１０によって歩行者Ｈを確実に保護することができ、歩行者Ｈの傷害を効果的に防ぐことができる。
【００２６】
また、本実施形態の衝突物保護装置１では、図４に示すように、第一袋体２０の内部圧力が所定の第一圧力に達すると、第一ベント機構２４が開いて、第一袋体２０から第二袋体３０にガスが送り込まれる。これにより、第二袋体３０がフード２ｂの上面に膨張展開するため、フード２ｂ側に倒れ込んだ歩行者Ｈの上半身を第二袋体３０によって保護することができる。
【００２７】
本実施形態の第一袋体２０は、図３に示すように、フード２ｂの前縁部に配置された前端部２１と、前端部２１から上方に向け膨張展開する縦袋部２２と、前端部２１から車両後方に向けて膨張展開する横袋部２３と、を有している。
【００２８】
この構成では、歩行者Ｈの腰部に縦袋部２２が当たると、縦袋部２２が後方に向けて押し込まれる。また、縦袋部２２の表面に張力が作用することで、縦袋部２２の形状を安定させることができる。これにより、第一袋体２０によって歩行者Ｈの腰部を確実に拘束することができる。
また、第一袋体２０の強度を高めることができるため、第一袋体２０によってフード２ｂの変形を防ぐことができる。
【００２９】
また、本実施形態の第一袋体２０は、図２に示すように、側面視でＶ形状であるため、袋体が側面視で四角形である場合に比べて、小型のインフレータ５０によって、第一袋体２０の内部圧力を早期に高めることができる。
また、横袋部２３がフード２ｂからの反力を受けることで、第一袋体２０の形状を安定させることができるため、歩行者Ｈの腰部を確実に拘束することができる。
【００３０】
また、第一袋体２０は、上方および車両後方に向けて膨張展開するため、歩行者Ｈが車両２に衝突した後でも、第一袋体２０を膨張展開させることができる。したがって、衝突判定装置が歩行者Ｈを認識し難い状況でも歩行者Ｈを確実に保護することができる。
【００３１】
本実施形態の衝突物保護装置１は、図５に示すように、第二袋体３０の車両後方側に連続し、フード２ｂの上面に膨張展開する第三袋体４０を備えている。第二袋体３０の内部空間と第三袋体４０の内部空間とは、第二ベント機構３４を介して連通している。第二袋体３０の内部圧力が所定の第二圧力に達すると、第二ベント機構３４が開くように構成されている。
【００３２】
本実施形態の衝突物保護装置１では、第二袋体３０の内部圧力が所定の第二圧力に達すると、第二ベント機構３４が開いて、第二袋体３０から第三袋体４０にガスが送り込まれる。これにより、第三袋体４０がフード２ｂの上面の後部に膨張展開するため、フード２ｂ側に倒れ込んだ歩行者Ｈの頭部を第三袋体４０によって確実に保護することができる。
【００３３】
以上、本発明の実施形態について説明したが、本発明は前記実施形態に限定されることなく、その趣旨を逸脱しない範囲で適宜に変更が可能である。
本実施形態の衝突物保護装置１では、図２に示すように、第一袋体２０が縦袋部２２および横袋部２３を有しているが、第一袋体２０の形状は限定されるものではない。例えば、第一袋体２０の内部空間に車幅方向に並設された複数の隔壁を設け、第一袋体２０の内部空間を各隔壁によって複数の空間に区画してもよい。
【００３４】
本実施形態の衝突物保護装置１では、第一袋体２０の縦袋部２２と横袋部２３とが一体に形成されているが、縦袋部２２と横袋部２３とを別体に構成してもよい。この構成では、縦袋部２２の前端部と横袋部２３の前端部とをフード２ｂの前縁部に重ねて配置する。
【００３５】
本実施形態の衝突物保護装置１では、フロントグリル２ａとフード２ｂとの隙間からエアバッグ１０が車両２の外部に膨張展開しているが、エアバッグ１０を収容する場所は限定されるものではない。例えば、フロントグリル２ａ内にエアバッグ１０を収容し、フロントグリル２ａに設けた蓋体を押し開けて、エアバッグ１０が膨張展開するように構成してもよい。
【００３６】
本実施形態の衝突物保護装置１では、第三袋体４０が設けられているが、第二袋体３０によって歩行者Ｈの頭部を保護することができるのであれば、第三袋体４０を設けなくてもよい。
【００３７】
また、フロントグリル２ａの前面に膨張展開する下部袋体を設けてもよい。この場合には、歩行者Ｈの脚部が車両２の下部に巻き込まれるのを防ぐことができる。
【符号の説明】
【００３８】
１      衝突物保護装置
２      車両
２ａ    フロントグリル
２ｂ    フード
１０    エアバッグ
２０    第一袋体
２１    前端部
２２    縦袋部
２３    横袋部
２４    第一ベント機構
３０    第二袋体
３４    第二ベント機構
４０    第三袋体
５０    インフレータ
Ｈ      歩行者
【図１】
2019209825.tif 000003
【図２】
2019209825.tif 000004
【図３】
2019209825.tif 000005
【図４】
2019209825.tif 000006
【図５】
2019209825.tif 000007